(57)【要約】【課題】反射鏡により所望の配光制御を行うとともに、器具本体の取付面に均斉度良く光を照射させることができる照明器具を提供する。【解決手段】取付面に直付けされる器具本体１の内部に、ランプ２と、ランプ２を点灯させる点灯回路ブロック３と、略平板状であってランプ２と照射面との間に、法線方向が取付面の法線方向と略直交するように配置されるガラスパネル５と、ランプ２からの光を反射しガラスパネル５を通して所望の方向に配光する反射鏡７とを収納してあり、ガラスパネル５における取付面側の部位と取付面に沿う方向の両側部とを少なくとも含む周辺部に、ガラスパネル５の中央部よりも光の拡散透過率が高い拡散透過部６を設けてある。【選択図】　　　図１
2004111283.tif 000002
【特許請求の範囲】
【請求項１】
取付面に直付けされる器具本体の内部に、光源と、前記光源を点灯させる点灯回路と、略平板状であって前記光源の光の照射方向の前方に、法線方向が前記取付面の法線方向と略直交するように配置される透光パネルと、前記光源からの光を反射し前記透光パネルの略中央を通して所望の方向に配光する反射鏡とを収納して成り、前記透光パネルにおける取付面側の部位と取付面に沿う方向の両側部とを少なくとも含む周辺部に、前記透光パネルの中央部よりも光の拡散透過率が高い拡散透過部を設けたことを特徴とする照明器具。
【請求項２】
前記拡散透過部の拡散透過率を、透光パネルの中央部側から周辺部側にかけて徐々に高くしたことを特徴とする請求項１記載の照明器具。
【請求項３】
前記拡散透過部の拡散透過率が少なくとも約５０％であることを特徴とする請求項１記載の照明器具。
【請求項４】
前記透光パネルにおける取付面側の部位に設けた拡散透過部は、前記光源からの直射光が透過する部位に設けられたことを特徴とする請求項１記載の照明器具。
【発明の詳細な説明】
【０００１】
【発明の属する技術分野】
本発明は、建物の壁面などの取付面に直付けされる照明器具に関するものである。
【０００２】
【従来の技術】
この種の照明器具としては、図９〜図１２に示すような構造を有するものが従来より提供されている（例えば特許文献１参照）。この照明器具は、建物の壁面のような取付面に固定されたフランジ３１と、フランジ３１に一端が固定されたアーム３２と、アーム３２の他端に回動自在に支持された器具本体３０とを備える。
【０００３】
器具本体３０は上面の中央部に開口が設けられ、開口の奥にランプ３３を装着するランプソケット３４が配設されており、開口を塞ぐようにして平板状の透明なガラスパネル３５が取り付けられている。また、器具本体３０の内部には、ランプ３３からの光を反射し、ガラスパネル３５を通して所望の方向に配光する反射鏡３６が設けられている。
【０００４】
【特許文献１】
特開２０００−１１７５０号公報（段落番号［０００２］及び図１参照）
【０００５】
【発明が解決しようとする課題】
上述した照明器具では、フランジ３１を建物の壁面のような取付面に直付けしているので、ガラスパネル３５が透明であれば、ランプ３３に最も接近した照明器具の取付面に、ランプ３３からの直射光の一部が器具本体３０の開口縁で遮られることによってできる影、すなわちガラスパネル３５の周縁部を示す境界線が映ることになり、光の照射される範囲と照射されない範囲との境界線が照射面にくっきりと現れるという問題があった。図１１中の範囲Ｄはランプ３３の直射光が照射される範囲を示しており、範囲Ｄの境界に光の照射される範囲と照射されない範囲との境界線Ｌ２が現れることになる。
【０００６】
また、ランプ３３からの直射光の一部は、ガラスパネル３５の内側面で反射された後、反射鏡３６で反射されてガラスパネル３５を透過し、所望の方向に配光されるのであるが、反射鏡３６により反射された拡散光の一部が器具本体３０の開口縁で遮られて、ガラスパネル３５の周縁部を示す境界線が取付面に映ってしまう。図１１中の範囲Ｃは反射鏡３６からの拡散光が照射される範囲を示しており、ランプ３３の直射光と色温度が異なるため範囲Ｃの境界に線Ｌ１が映ることになる。
【０００７】
上述のように照明器具を取付面に直付けすると、ランプ３３に近接した取付面にランプ３３からの光による境界線が現れるため、照射面の均斉度が悪化するという問題があった。
【０００８】
近年、建築照明における照明計画では壁面や天井面などの照射面に均斉度良く光を照射させることが望まれており、照明器具の取付面を均斉度良く照射するために、ガラスパネル３５の表面を拡散面とすることが考えられるが、ガラスパネル３５の表面を拡散面にすると、均斉度は改善されるものの、反射鏡３６で制御した配光が拡散されてしまい、所望の配光が得られないという問題がある。
【０００９】
本発明は上記問題点に鑑みて為されたものであり、その目的とするところは、反射鏡により所望の配光制御を行うとともに、器具本体の取付面に均斉度良く光を照射させることができる照明器具を提供することにある。
【００１０】
【課題を解決するための手段】
上記目的を達成するために、請求項１の発明では、取付面に直付けされる器具本体の内部に、光源と、光源を点灯させる点灯回路と、略平板状であって光源の光の照射方向の前方に、法線方向が取付面の法線方向と略直交するように配置される透光パネルと、光源からの光を反射し透光パネルの略中央を通して所望の方向に配光する反射鏡とを収納して成り、透光パネルにおける取付面側の部位と取付面に沿う方向の両側部とを少なくとも含む周辺部に、透光パネルの中央部よりも光の拡散透過率が高い拡散透過部を設けたことを特徴とする。
【００１１】
請求項２の発明では、請求項１の発明において、拡散透過部の拡散透過率を、透光パネルの中央部側から周辺部側にかけて徐々に高くしたことを特徴とする。
【００１２】
請求項３の発明では、請求項１の発明において、拡散透過部の拡散透過率が少なくとも約５０％であることを特徴とする。
【００１３】
請求項４の発明では、請求項１の発明において、透光パネルにおける取付面側の部位に設けた拡散透過部は、光源からの直射光が透過する部位に設けられたことを特徴とする。
【００１４】
【発明の実施の形態】
以下、本発明を実施形態により詳細に説明する。
【００１５】
（実施形態１）
本発明の実施形態１を図１〜図３を参照して説明する。
【００１６】
本実施形態の照明器具は、建物の外壁のような取付面２０に取付ボルト２２を用いて固定された取付板２１に直付けされる器具本体１を備え、器具本体１の内部には例えば両口金形の直管形ＨＩＤランプのようなランプ２（光源）や、従来周知の電子式安定器からなる点灯回路ブロック３が納装されている。
【００１７】
器具本体１は、側面視の形状が略直角三角形に形成された三角柱状であって、直角に交差する２つの側面の内、面積の小さい方の側面が取付面２０と当接し、もう一方の側面が上向きとなるようにして取付面２０に取り付けられており、残りの一側面は円周面となっている。器具本体１の上面には開口１ａが設けられ、開口１ａの奥にはランプ２を装着するランプソケット４，４が配設されている。器具本体１の開口１ａは矩形板状のガラスパネル５（透光パネル）で塞がれ、パネル枠８によって固定されており、ガラスパネル５はランプ２の光の照射方向の前方に、法線方向が取付面２０の法線方向と略直交するように配置されている。また、開口１ａの奥には、ランプ２からの光を反射し、ガラスパネル５の略中央を通して所望の方向に配光する反射鏡７がランプ２の周囲に配置されている。なお、反射鏡７は取付面２０に対して略垂直な面（例えば建物の軒天井や天井など）が主照射面となるように配光を制御している。
【００１８】
ここで、ガラスパネル５の内側面（ランプ２側の面）には、取付面２０側の部位と、取付面２０に沿う方向（図１（ａ）中の上下方向）の両側部とを少なくとも含む周辺部に、櫛歯状の模様６ａをシルク印刷して半透明にしてあり、模様６ａを印刷した周辺部がガラスパネル５の中央部よりも光の拡散透過率が高い拡散透過部６となっている。
【００１９】
このようにガラスパネル５の中央部は略透明とし、周辺部に模様６ａをシルク印刷して中央部よりも拡散透過率の高い拡散透過部６を形成してあるので、拡散透過部６を透過した光を拡散させることで、光の均斉度を高めて、取付面や取付面に交差する面にランプ２からの光による境界線がくっきりと映るの防止できる。また反射鏡７は、取付面２０と略垂直な面（例えば建物の天井や軒天井など）が主照射面となるように配光を制御しているので、反射鏡７によって反射された光はガラスパネル５の略中央を透過することになり、ガラスパネル５の中央部には拡散透過部６を形成していないので、反射鏡７で反射された光が拡散されることはなく、所望の方向に配光することができる。
【００２０】
また、ガラスパネル５にシルク印刷した模様６ａは、ガラスパネル５の３辺に沿って串状（楔状）の模様を複数並べたような模様となっており、個々の串状の模様は中央部から周辺部にかけて徐々に幅寸法が大きくなるような模様となっているので、拡散透過部６の拡散透過率はガラスパネル１５の中央部と連続し、中央部側から周辺部側にかけて徐々に高くなるから、照射面に照射される光の均斉度が向上するという利点がある。
【００２１】
尚、本実施形態ではガラスパネル５の内側面における周辺部に櫛歯状の模様６ａをシルク印刷しているが、拡散透過部６を櫛歯状の模様６ａに限定する趣旨のものではなく、中央部よりも拡散透過率が高くなるのであれば、どのような模様をシルク印刷しても良く、図４及び図５に示すように、櫛歯状の模様６ａの代わりにドットパターン状の模様６ｂをシルク印刷して拡散透過部６を形成しても良い。模様６ｂはガラスパネル５の各辺に沿って配列された複数列のドットからなり、ガラスパネル５の中央部から周辺部にかけてドットの大きさが徐々に大きくなっているので、拡散透過部６の拡散透過率が中央部から周辺部にかけて徐々に高くなり、照射面に照射される光の均斉度をさらに向上させている。
【００２２】
（実施形態２）
本発明の実施形態２を図６〜図８を参照して説明する。本実施形態の照明器具は、略円筒状の灯体１１ａと、灯体１１ａの外周面に突設された直方体状のフランジ部１１ｂからなる器具本体１１を備え、建物の外壁のような取付面に取付板を介してフランジ部１１ｂを直付けするようになっている。
【００２３】
灯体１１ａの内周面には、軸方向における略中央部にランプ１２が装着されるランプソケット１４が配設され、軸方向の両端部には円板状のガラスパネル１５，１５がそれぞれ取り付けられており、各ガラスパネル１５はランプ１２の光の照射方向の前方に、法線方向が取付面の法線方向と略直交するように配置されている。
【００２４】
また、灯体１１ａの内部には、ガラスパネル１５とランプ１２との間の部位に、それぞれ、ランプ１２からの光を反射し、ガラスパネル１５の略中央を通して所望の方向に配光する反射鏡１７が配置されており、反射鏡１７は狭角形の配光特性を有している。
【００２５】
また、フランジ部１１ｂの内部にはランプソケット１４に装着されたランプ１２を点灯させる点灯回路ブロック１３などが納装されている。
【００２６】
ここで、図６（ｂ）及び図７に示すように、ガラスパネル１５の内側面（ランプ１２側の面）の周辺部には櫛歯状の模様１６ａをシルク印刷して半透明にしてあり、模様１６ａを印刷した周辺部はガラスパネル１５の中央部よりも光の拡散透過率が高い拡散透過部１６となっている。
【００２７】
このようにガラスパネル１５の中央部は略透明とし、周辺部に模様１６ａをシルク印刷して中央部よりも拡散透過率の高い拡散透過部１６を形成してあるので、拡散透過部１６を透過した光を拡散させて光の均斉度を高め、取付面や取付面に交差する面にランプ１２からの光による境界線がくっきりと映るの防止できる。また反射鏡１７の配光は比較的狭角となっており、取付面と略垂直な面（例えば建物の天井や軒天井など）が主照射面となるように配光を制御しているので、反射鏡１７によって反射された光はガラスパネル１５の略中央を透過することになり、ガラスパネル１５の中央部には拡散透過部１６を形成していないので、反射鏡１７で反射された光が拡散されることはなく、所望の方向に配光することができる。
【００２８】
また、ガラスパネル１５に形成した模様１６ａは、円板状のガラスパネル１５の円周部に沿って串状（楔状）の模様を複数並べたような模様となっており、個々の串状の模様は中央部から周辺部にかけて徐々に幅寸法が大きくなるような模様となっているので、拡散透過部１６の拡散透過率は、ガラスパネル１５の中央部と連続し、中央部側から周辺部側にかけて徐々に高くなるから、照射面に照射される光の均斉度が向上するという利点がある。
【００２９】
尚、本実施形態ではガラスパネル１５の内側面における周辺部に櫛歯状の模様１６ａをシルク印刷しているが、拡散透過部１６を櫛歯状の模様１６ａに限定する趣旨のものではなく、中央部よりも拡散透過率が高くなるのであれば、どのような模様をシルク印刷しても良く、櫛歯状の模様６ａの代わりにドットパターン状の模様をシルク印刷しても良い。
【００３０】
また、実施形態１のガラスパネル５は矩形板状であって一辺を除いた周辺部に拡散透過部６を形成しているので、ガラスパネル５を器具本体１に取り付ける際には拡散透過部６の形成されていない辺が取付面と反対側に位置するようにガラスパネル５を取り付ける必要があるが、本実施形態ではガラスパネル１５を円板状とし、ガラスパネル１５の円周部の全周に拡散透過部１６を形成しているので、ガラスパネル１５を取り付ける際にガラスパネル１５の方向性がなく、組立作業の作業性が向上する。
【００３１】
ところで、上述した各実施形態では透光パネルとしてガラスパネルを用いているが、透光パネルをガラスパネルに限定する趣旨のものではなく、透光性を有する樹脂製のパネルを用いても良い。また、上述した拡散透過部６，１６の拡散透過率は少なくとも約５０％であることが望ましく、光の均斉度を十分高くして、ランプ１２の光による境界線を目立たなくできる。
【００３２】
また、本発明は上記の各実施形態に限定される趣旨のものではなく、本発明の技術思想の範囲内で適宜改変が可能である。
【００３３】
【発明の効果】
上述のように、請求項１の発明は、取付面に直付けされる器具本体の内部に、光源と、光源を点灯させる点灯回路と、略平板状であって光源の光の照射方向の前方に、法線方向が取付面の法線方向と略直交するように配置される透光パネルと、光源からの光を反射し透光パネルの略中央を通して所望の方向に配光する反射鏡とを収納して成り、透光パネルにおける取付面側の部位と取付面に沿う方向の両側部とを少なくとも含む周辺部に、透光パネルの中央部よりも光の拡散透過率が高い拡散透過部を設けたことを特徴とし、透光パネルには、取付面側の部位と取付面に沿う方向の両側部とを少なくとも含む周辺部に拡散透過部が設けられているので、光源に最も近接した取付面や取付面に交差する面に照射される光を拡散透過部で拡散させることで、光源からの光によって発生する境界線を目立たなくして、取付面を含む照射面に照射される光の均斉度を向上させることができ、且つ、透光パネルの中央部には拡散透過部を設けていないので、反射部からの光が拡散されることはなく、所望の配光を得ることができる。
【００３４】
請求項２の発明は、請求項１の発明において、拡散透過部の拡散透過率を、透光パネルの中央部側から周辺部側にかけて徐々に高くしたことを特徴とし、拡散透過率を徐々に変化させることで、照射面に照射される光の均斉度がより向上するという効果がある。
【００３５】
請求項４の発明は、請求項１の発明において、透光パネルにおける取付面側の部位に設けた拡散透過部は、光源からの直射光が透過する部位に設けられたことを特徴とし、拡散透過部が無い場合は光源からの直射光が透光パネルの外側の部位で遮られることによってできる境界線が照射面に発生するが、透光パネルの周辺部に設けた拡散透過部は、直射光が透過する透光パネルの部位に設けられているので、直射光によって照射面に発生する境界線を目立たなくして、光の均斉度をより向上させることができる。
【図面の簡単な説明】
【図１】実施形態１の照明器具を示し、（ａ）は上面図、（ｂ）は側面図である。
【図２】同上を示し、図１（ａ）のＡ部拡大図である。
【図３】同上の外観斜視図である。
【図４】同上の別の照明器具を示し、（ａ）は上面図、（ｂ）は側面図である。
【図５】同上を示し、図４（ａ）のＢ部拡大図である。
【図６】実施形態２の照明器具を示し、（ａ）は一部破断せる側面図、（ｂ）は一部破断せる上面図である。
【図７】同上の要部拡大図である。
【図８】同上の外観斜視図である。
【図９】従来の照明器具を示し、（ａ）は一部破断せる上面図、（ｂ）は側面図である。
【図１０】同上を示し、（ａ）は一部破断せる側面図、（ｂ）は要部拡大断面図である。
【図１１】同上の配光を説明する説明図である。
【図１２】同上の配光を説明する側面図である。
【符号の説明】
１　器具本体
２　ランプ
３　点灯回路ブロック
５　ガラスパネル
６　拡散透過部
【図１】
2004111283.tif 000003
【図２】
2004111283.tif 000004
【図３】
2004111283.tif 000005
【図４】
2004111283.tif 000006
【図５】
2004111283.tif 000007
【図６】
2004111283.tif 000008
【図７】
2004111283.tif 000009
【図８】
2004111283.tif 000010
【図９】
2004111283.tif 000011
【図１０】
2004111283.tif 000012
【図１１】
2004111283.tif 000013
【図１２】
2004111283.tif 000014